(57)【要約】【課題】ゴミ収集袋へのゴミ充填量が多い場合や、ゴミ袋の口を強く捩ることのできないお年寄りや握力の弱い人であっても、口閉じ作業を簡単かつ確実に行うことができ、しかも、ゴミ充填後のゴミ袋の持ち運びを容易としたゴミ収集袋の口閉じ具を提供する。【解決手段】ゴミを収容したゴミ収集袋４の口５を覆うことのできる大きさを有するとともにシート基材層６とその下側の接着層７とからなる蓋体２と、この蓋体２の上面に取付けられた取っ手３とから構成する。【選択図】図１
0003111709.tif 000002
【実用新案登録請求の範囲】
【請求項１】
ゴミを収容したゴミ収集袋の口を覆うことのできる大きさを有するとともにシート基材層とその下側の接着層とからなる蓋体と、この蓋体の上面に取付けられた取っ手とからなることを特徴とするゴミ収集袋の口閉じ具。
【請求項２】
蓋体および取っ手は、いずれも耐水性材料からなることを特徴とする請求項１記載のゴミ収集袋の口閉じ具。
【請求項３】
蓋体および取っ手は、いずれもゴミ収集袋の変形に追従することのできる可撓性を有することを特徴とする請求項１または請求項２記載のゴミ収集袋の口閉じ具。
【請求項４】
蓋体は円形に形成されていることを特徴とする請求項１ないし請求項３のいずれか１項に記載のゴミ収集袋の口閉じ具。
【請求項５】
下側の接着層は、剥離可能なシール層によりシールされていることを特徴とする請求項１ないし請求項４のいずれか１項に記載のゴミ収集袋の口閉じ具。
【考案の詳細な説明】
【技術分野】
【０００１】
本考案は、業務用、家庭用のゴミ収集袋の口閉じ具に関し、特にゴミ収集袋へのゴミ充填量が多い場合であっても、ゴミ収集袋の口閉じ作業を楽にかつ確実に行うことができるゴミ収集袋の口閉じ具に関する。
【背景技術】
【０００２】
一般にこの種のゴミ収集袋は、ゴミを充填後、口の両端どうしを固く結んで口を閉じるか、口を紐状に捻って硬く結んで口を閉じるようにしていた。しかし、ゴミ収集袋へのゴミの充填量が多いと、口閉じ作業が困難となり、シール性にも問題が生じ易くなる。
【０００３】
これを改善する口閉じ具として、プラスチック製のゴミ袋用口閉じ具が知られている（特許文献１）。このプラスチック製のゴミ袋用口閉じ具は、ゴミ袋口を強く捩って紐状とした状態の捩り口部にリング把持部を手で把持してリング把持部を挿入側として直線的にまたは回転させながら捩り口部の元部付近の適宜位置まで移動させて止める構造になっている。
【０００４】
【特許文献１】実開平７−２８８４８号公報
【考案の開示】
【考案が解決しようとする課題】
【０００５】
しかしながら、上記のプラスチック製のゴミ袋用口閉じ具は、ゴミ袋口を強く捩って紐状とした状態の捩り口部にリング把持部を手で把持してリング把持部を挿入側として直線的にまたは回転させながら捩り口部の元部付近の適宜位置まで移動させて止める構造であるため、ゴミ袋口を強く捩ることのできないお年寄りや握力の弱い人にとっては口閉じ作業が相変わらず困難である。
【０００６】
ゴミの充填量が多いと、特にお年寄りや握力の弱い人にとってはゴミ袋の運搬が容易ではないという問題もある。
【０００７】
本考案は上記問題点に鑑みてなされたもので、ゴミ袋口を強く捩ることのできないお年寄りや握力の弱い人であっても、口閉じ作業を簡単かつ確実に行うことができ、しかも、ゴミ充填後のゴミ袋の持ち運びを容易としたゴミ収集袋の口閉じ具を提供することを目的とする。
【課題を解決するための手段】
【０００８】
上記課題を解決するために、本考案の請求項１に係るゴミ収集袋の口閉じ具は、ゴミを収容したゴミ収集袋の口を覆うことのできる大きさを有するとともにシート基材層とその下側の接着層とからなる蓋体と、この蓋体の上面に取付けられた取っ手とからなることを特徴とする。
【０００９】
ゴミを収容したゴミ収集袋の口の周囲に下側の接着層を接着する単純な作業でゴミ収集袋の口を閉じることができる。特にゴミ収集袋へのゴミ充填量が多い場合であっても、あるいは、ゴミ袋口を強く捩ることのできないお年寄りや握力の弱い人であっても、口閉じ作業を簡単かつ確実に行うことができる。
【００１０】
また、蓋体の上面の取っ手によってゴミ袋の持ち運びが容易となる。
【００１１】
本考案の請求項２に係るゴミ収集袋の口閉じ具は、蓋体および取っ手が、いずれも耐水性材料からなることを特徴とする。
【００１２】
口閉じ具で口を閉じたゴミ収集袋が雨に濡れた場合であっても、蓋体および取っ手が耐水性材料からなることにより、口閉じ具が雨で破れてゴミ収集袋の口が開いたり、取っ手が取れて持ち運びが不便になるといった不具合がない。
【００１３】
本考案の請求項３に係るゴミ収集袋の口閉じ具は、蓋体および取っ手が、ゴミ収集袋の変形に追従することのできる可撓性を有することを特徴とする。
【００１４】
内部に収容するゴミの種類・大きさ・形に応じてゴミ収集袋の形もいびつな形になる。このような変形に対し追従できる可撓性を有することで、ゴミ収集袋との密着性が高まり、その結果、接着性がより強固になる。
【００１５】
本考案の請求項４に係るゴミ収集袋の口閉じ具は、蓋体は円形に形成されていることを特徴とする。
【００１６】
蓋体が円形に形成されることで、蓋体の周縁部に角部がなくなり、装着後のゴミ収集袋から剥がれにくくなる。
【００１７】
本考案の請求項５に係るゴミ収集袋の口閉じ具は、下側の接着層が、剥離可能なシール層によりシールされていることを特徴とする。
【００１８】
口閉じ具を使用しない時は、下側の接着層をシール層によりシールしておくことで、口閉じ具を多数ストックすることができる。そして、口閉じ具を使用する時は、シール層を剥がし、接着層を露出させてゴミを収容したゴミ収集袋の口に接着するようにすればよく、使い勝手に優れる。
【考案の効果】
【００１９】
以上説明したように、本考案に係るゴミ収集袋の口閉じ具は、ゴミを収容したゴミ収集袋の口を覆うことのできる大きさを有するとともにシート基材層とその下側の接着層とからなる蓋体と、この蓋体の上面に取付けられた取っ手とからなることとしたから、ゴミ収集袋へのゴミ充填量が多い場合や、ゴミ袋の口を強く捩ることのできないお年寄りや握力の弱い人であっても、口閉じ作業を簡単かつ確実に行うことができる効果を奏する。また、蓋体の上面には取っ手を取付けたから、ゴミ充填後のゴミ袋の持ち運びを容易とする効果を奏する。
【考案を実施するための最良の形態】
【００２０】
本考案を実施するための最良の形態を図１ないし図４を参照して説明する。図１に示すように、本考案のゴミ収集袋の口閉じ具１は、蓋体２と取っ手３とから基本構成されている。
【００２１】
蓋体２は、図３に示すゴミを収容したゴミ収集袋４の口５を覆うことのできる大きさを有する円形のシート状のもので、上側のシート基材層６と、下側の接着層７とからなる。シート基材層６は耐水性および可撓性のある材料からなる。例えば、高密度あるいは低密度のポリエチレン、ポリプロピレン、ポリスチレン、ポリ塩化ビニル等の合成樹脂製からなる。
【００２２】
接着層７は、蓋体２をゴミ収集袋４の口５の周囲に接着可能とするもので、接着剤としてポリエチレン、エチレンおよびエチレン共重合体、ＥＶＡポリマー、エチレン・アクリレート共重合樹脂、アイオノマー樹脂、ポリアミド樹脂、ナイロン樹脂、ポリエステル樹脂、ポリプロピレン樹脂等々が用いられる。かかる接着層７は、たとえば、ゴミ収集袋４の容量が中サイズ（４５Ｌ）である場合、ゴミを収容した状態のゴミ収集袋４の口５の周囲に蓋体２を接着して取っ手３でゴミ収集袋４を持上げた時の重さ３ｋｇ程度に耐えることのできる接着力を有する。
【００２３】
接着層７は、紙質系の剥離可能なシール層８によりシールされている。このシール層８は、ゴミ収集袋の口閉じ具１を使用する時に剥がして接着層７を露出させるものである。
【００２４】
上記構成のゴミ収集袋の口閉じ具１は次のようにして使用する。
【００２５】
ゴミ収集袋４にゴミをほぼ一杯収容し終わったら、ゴミ収集袋の口閉じ具１の裏面のシール層８を剥がし、接着層７を露出させて、図３から図４に示すように、ゴミ収集袋４の口５の周囲に上から蓋体２を確実に接着させる。ゴミ収集袋４の口５を縛ることができない位に目一杯ゴミを収容した場合であっても、接着層７によってゴミ収集袋の口閉じ具１をゴミ収集袋４の口５の周囲に接着して口５を閉じることができる。
【００２６】
後は、蓋体２の上面の取っ手３を把持してゴミ収集所へ運べばよい。
【実施例】
【００２７】
本考案者は大中小３種類のゴミ収集袋（９０Ｌ、４５Ｌ、２０Ｌ）のサイズに合わせて大中小３種類の口閉じ具を製作した。製作する口閉じ具の形は円形とした。大サイズ（９０Ｌ）のゴミ収集袋（幅×高さ＝９００ｍｍ×１０００ｍｍ）には直径４００ｍｍ位の口閉じ具、中サイズ（４５Ｌ）のゴミ収集袋（幅×高さ＝８００ｍｍ×６５０ｍｍ）には直径３００ｍｍ位の口閉じ具、小サイズ（２０Ｌ）のゴミ収集袋（幅×高さ＝６００ｍｍ×４００ｍｍ）には直径２００ｃｍ位の口閉じ具が適することが分かった。使用したゴミ収集袋の材質はポリエチレン、口閉じ具の蓋体および取っ手の材質も同一材質のポリエチレンとした。
【産業上の利用可能性】
【００２８】
本考案のゴミ収集袋の口閉じ具は、業務用、家庭用のゴミ収集袋の口閉じ具として、幅広く利用することができる。
【図面の簡単な説明】
【００２９】
【図１】本考案のゴミ収集袋の口閉じ具を示す斜視図、
【図２】本考案のゴミ収集袋の口閉じ具を示す側面図、
【図３】本考案のゴミ収集袋の口閉じ具を、ゴミを収容したゴミ収集袋の口に装着する前の状態を示す斜視図、
【図４】本考案のゴミ収集袋の口閉じ具を、ゴミを収容したゴミ収集袋の口に装着した状態を示す斜視図である。
【符号の説明】
【００３０】
１  ゴミ収集袋の口閉じ具
２  蓋体
３  取っ手
４  ゴミ収集袋
５  口
６  シート基材層
７  接着層
８  シール層
【図１】
0003111709.tif 000003
【図２】
0003111709.tif 000004
【図３】
0003111709.tif 000005
【図４】
0003111709.tif 000006